(57)【要約】【課題】  発泡スチロール製容器を嵩張らないようにして廃棄できるような容器とする。【解決手段】  本発明の発泡スチロール製容器は、容器本体と、手で容易に分割できるように、容器の所定部に設けた脆弱部と、容器本体の周縁から外側に張り出させて顎部を設けるとともに、容器を２分するように脆弱部を線状に形成し、線状に形成した脆弱部を挟んで、互いに対向する顎部に、相互に係合する係合部を設ける。脆弱部は、容器の表面部分を断続的に切り込んで形成する。これにより、分割した容器を重ねて束ねられるので、容器を嵩張らないようにして廃棄できるようになる。【選択図】    図３
2009083913.tif 000002
【特許請求の範囲】
【請求項１】
食品等を店頭に陳列する際に利用される発泡スチロール製容器において、
該容器は、底面の周縁から側壁を立設させた容器本体と、
手で容易に分割できるように、前記容器の所定部に設けた脆弱部と、を備えていることを特徴とする発泡スチロール製容器。
【請求項２】
前記脆弱部は、前記容器の表面部分を断続的に切り込んで形成したことを特徴とする請求項１に記載の発泡スチロール製容器。
【請求項３】
前記容器本体の周縁から外側に張り出させて顎部を設けるとともに、前記容器を２分するように前記脆弱部を線状に形成し、線状に形成した前記脆弱部を挟んで、互いに対向する前記顎部に、相互に係合する係合部を設けたことを特徴とする請求項１または２に記載の発泡スチロール製容器。
【請求項４】
発泡スチロール製容器の外面にフィルムが設けられ、前記脆弱部での分割が前記フィルムを剥がすことで、実施されるように構成されていることを特徴とする請求項１乃至３の何れかに記載の発泡スチロール製容器。
【発明の詳細な説明】
【技術分野】
【０００１】
本発明は、食品を収納するために使用される発泡スチロール製容器に関する。
【背景技術】
【０００２】
発泡スチロール製の容器は、生の食材等の容器として多用されているが、嵩張る部材であることから、膨大な量のゴミとなって廃棄されている現状がある。このような事情から、発泡スチロール製の容器の廃棄は、手で割ったり、折り曲げたり、ハサミで切り刻んだりして、出来るだけ容積を少なくして廃棄するように指導されている。しかし、手で割るには相応の力が必要であり、何時でも手元にハサミがあるものでもないことから、結局、嵩張ったままの容器が、そのまま廃棄されてしまっているのが現状である。
発泡スチロール製の容器が嵩張っていることの不都合を改善するものとして、特開平１０−７７０３２号公報の食品収納用簡易容器は、使用時に枠材と底板を組立てて容器とすることが開示されている。このような容器の場合、組み立てられるまでは容器が嵩張らないので、容器の搬入コストが削減でき、且つ、現場で有効利用空間を拡大させることが出来るものである。しかし、実際、使用時に組立てなければ使用できない煩わしさがある。
【特許文献１】特開平１０−７７０３２号公報
【発明の開示】
【発明が解決しようとする課題】
【０００３】
本発明は、一体成形された発泡スチロール製容器であっても、嵩張らないようにして廃棄できるような容器とするものである。
【課題を解決するための手段】
【０００４】
上記目的を達成するため、請求項１に記載の発泡スチロール製容器の発明は、食品等を店頭に陳列する際に利用される発泡スチロール製容器において、該容器は、底面の周縁から側壁を立設させた容器本体と、手で容易に分割できるように、前記容器の所定部に設けた脆弱部と、を備えていることを特徴とする。
請求項２に記載の発明は、前記脆弱部が前記容器の表面部分を断続的に切り込んで形成したことを特徴とする。
請求項３に記載の発明は、前記容器本体の周縁から外側に張り出させて顎部を設けるとともに、前記容器を２分するように前記脆弱部を線状に形成し、線状に形成した前記脆弱部を挟んで、互いに対向する前記顎部に、相互に係合する係合部を設けたことを特徴とする。
請求項４に記載の発明は、発泡スチロール製容器の外面にフィルムが設けられ、前記脆弱部での分割が前記フィルムを剥がすことで、実施されるように構成されていることを特徴とする。
【発明の効果】
【０００５】
発泡スチロール製容器の所定部に脆弱部を設けることにより、これを廃棄する際には、容器を分割して嵩張らないようにすることができる。
脆弱部が容器の表面部分を断続的に切り込んで形成されることにより、簡単な器具で脆弱部を形成することができる。
容器顎部に相互に係合する係合部を設けることにより、分割した容器を重ねて束ねられるので、容器を嵩張らないようにして廃棄できるようになる。
フィルムを剥がすことで脆弱部での分割ができるようになると、発泡スチロールを割った際に発生する微細な分割片が飛び散ることもなくなる。
【発明を実施するための最良の形態】
【０００６】
本発明の発泡スチロール製容器１について、図面を基に詳述する。
図１〜３に示すように、本発明の発泡スチロール製容器１は底面の周縁から側壁を立設させて形成した容器本体１ａと、容器本体１ａの周縁から外側に張り出させて顎部１ｂとが設けられて、食品Ａが収容できるように形成されている。そして、さらに容器の略中央部分には、その表面部分を断続的に切り込んで形成される脆弱部６が設けられている。このような断続的な切り込みは、食品Ａを載置して運搬できる充分な強度が損なわれないようにして形成される。一例として、回転可能な円盤の外周縁に所定間隔を隔てて刃を設けた回転カッター等で、その切り込みの程度を調節して脆弱部６が形成される。このような脆弱部６は、切り込みによって形成されることに限定されるものでなく、高周波を照射して部分的に熱変性させることで形成してもよい。
【０００７】
上述したような脆弱部６を発泡スチロール製容器に設けた場合には、消費者が容器１を廃棄する際に、お年寄りや力の弱い女性でも容器が手で容易に割れるものになる。そして、割られた容器は重ねて束ねられるようになるので、廃棄物の嵩を減らせることができるようになる。図１〜３中、脆弱部６を容器の略中央部分に線状に設けた形態を示しているが、例えば、底部分が抜けるようにすること、もしくは容器１を４分割に割れるようにすること等、適宜実施可能である。
【０００８】
廃棄物の嵩を減らすためには、出来るだけ細かく分割するのがよい。しかし、容器の強度を所定レベルに維持する必要があり、粉々に割れるようにすることはできない。他方、２分割して重ねても、袋の中でばらばらになり、収まりが悪くなることがある。この為、発泡スチロール製容器１は、さらに、線状部分（脆弱部６）を挟んで、互いに対向する顎部１ｂに、相互に係合する係合部を設けている。
【０００９】
この係合部は、一方の側の係合部において、顎部１ｂに切り込み２を４箇所入れることにより、一対の係合片５を形成したものである。そして、他方の側の係合部は、切取り部４を何時でも取り除けるようにして形成される。すなわち、切取り部４は、顎部１ｂに上述した一対の係合片５の幅と同じ幅で切り込みを４箇所入れ、一対の切り込みのそれぞれの根元間に、何時でも切り取れるように切り込みを設けて形成されたものである。
これにより、透明フィルム７に覆われて食品Ａを収納した状態では、切り取り部４を顎部１ｂから取り除かずに保持させておき（図１参照、）、容器１を２分割して廃棄する際には、切取り部４を取り除いて一対の切り欠き部３を形成し（図２参照）、一対の係合片５を一対の切り欠き部３に嵌め込んで、互いに重ね合わせて（図３参照）嵩張らないようにして廃棄できるようにする。
【００１０】
脆弱部６には、ある程度の強度が要求される。同時に、力の弱い女性もしくは老人でも手で容易に割れるようなものである必要がある。このため、製造時に脆弱部６を容易に割れるように形成し、且つ、発泡スチロール製容器１の外面にはフィルムを貼り付けてもよい。このようにすることで、通常の使用に充分耐えられるものになる一方、フィルムを剥がすことで脆弱部での分割が容易にできるようになる。そして、割られた容器は重ねて束ねられるようになるので、ハサミがなくても、発泡スチロール製容器１が、嵩張らないようにして廃棄できるようになる。尚、フィルムは、容器１の全面に貼られる必要はなく、脆弱部６の周囲だけに設けられていればよい。そして、フィルムを剥がすことで脆弱部での分割ができるようになると、発泡スチロールを割った際に発生する微細な分割片が飛び散ることもなくなるので、意識が変わり、発泡スチロール製容器を嵩張らないようにして廃棄するようになる。フィルムにゴミの減量に協力を依頼するメッセージが記載されていると、その効果は向上する。
【図面の簡単な説明】
【００１１】
【図１】食品を収納した状態の発泡スチロール製容器である。
【図２】係合部を形成した状態の発泡スチロール製容器である。
【図３】廃棄される際の発泡スチロール製容器である。
【符号の説明】
【００１２】
１  発泡スチロール製容器
３  切り欠き部
４  切取り部
５  係合片
６  脆弱部
【図１】
2009083913.tif 000003
【図２】
2009083913.tif 000004
【図３】
2009083913.tif 000005